(57)【要約】【課題】扉に容易に電気錠を設置可能とする電気錠システムにおける通電金具の接続構造の提供。【解決手段】電気錠システムは、戸先側で扉１を施解錠する電気錠１０と、この電気錠１０と電気的に接続され、扉１の吊元側の室内側面に固定された通電金具１１と、この通電金具１１に隣接した扉枠又はその外周領域に固定された制御盤１２と、通電金具１１と制御盤１２とを電気的に接続するたるみをもたせた接続コード１３とを備えている。通電金具１１と制御盤１２とは、直接的に接続コード１３により接続されている。【選択図】　　　図１
2004131954.tif 000002
【特許請求の範囲】
【請求項１】
扉を施解錠する電気錠と、電気錠の施解錠を制御する制御盤とを備える電気式に扉を施解錠可能な電気錠システムにおいて、
扉の吊元側に面付された通電金具は、前記電気錠と電気的に接続されており、
前記制御盤が、この通電金具に隣接した扉枠に固定されると共に、前記通電金具と接続され、枠側通電金具を兼用している
ことを特徴とする電気錠システムにおける通電金具の接続構造。
【請求項２】
電波キーを用いる電気錠システムにおいて、扉枠に固定された前記制御盤に、施解錠の信号を受信するアンテナが内蔵されている
ことを特徴とする請求項１に記載の電気錠システムにおける通電金具の接続構造。
【発明の詳細な説明】
【０００１】
【発明の属する技術分野】
本発明は、電気的に扉の施解錠を行なう電気錠システムにおける通電金具の接続構造に関するものである。
【０００２】
【従来の技術】
近年、扉の錠前に、電気錠を設置する家庭やオフィスが増加している。その際、新築の場合には、扉内部に配線等を予め埋め込んだ電気錠が使用できる。しかし、リフォームなどで、既設の扉に電気錠を設置する場合には、扉の表面に配線をはわせる面付型の設置方法が採られている。
【０００３】
図３は、扉に電気錠を設置した従来の構成を示す図であり、室内側から見た状態を示している。
電気錠２１から延出したコード２２は、扉２０の吊元側の室内側面に固定された第１通電金具２３に接続される。そして、第１通電金具２３と、扉枠２５等に固定された第２通電金具２４とは、たるみをもった接続コード２６により電気的に接続される。また、第２通電金具２４から延出したコード２７は、電気錠２１の施解錠を制御する制御盤２８に接続されている。なお、制御盤２８は、扉２０とは離れた下駄箱内やその周辺の壁面、あるいはリビングの壁面などに設置される。さらに、制御盤２８には、リモコンキー（電波キー）２９からの電波を受信するためのアンテナ３０が、感度を良くするために制御盤２８のケースの外側に設けられている。また、リモコンキー２９を使用せずに、押ボタンスイッチ３１ａにより電気錠２１を施解錠するための操作器３１が制御盤２８に接続されている。
【０００４】
【発明が解決しようとする課題】
ところで、従来の電気錠の設置構成では、通電金具を枠側、扉側の２ヶ所で取り付けて、さらに制御盤を設置するので、部品点数が多く、施工時間もかかっていた。また、下駄箱内やその周辺の壁面、あるいはリビングの壁面などに設置することは、スペース的にも無駄なものであった。しかも、制御盤に取り付けられるアンテナは、電波を受信しやすいように、扉の近くにまでその先端部を延長して持ってくる必要もあった。
【０００５】
本発明は上記事情に鑑みてなされたものであり、その主たる目的は、構造が簡易であって、取付も容易となる通電金具の接続構造を提供することにある。
【０００６】
【課題を解決するための手段】
上記目的を達成するために、本発明は、扉を施解錠する電気錠と、電気錠の施解錠を制御する制御盤とを備える電気式に扉を施解錠可能な電気錠システムにおいて、扉の吊元側に面付された通電金具は、前記電気錠と電気的に接続されており、前記制御盤が、この通電金具に隣接した扉枠に固定されると共に、前記通電金具と接続され、枠側通電金具を兼用していることを特徴とする電気錠システムにおける通電金具の接続構造である。
【０００７】
また、好ましくは上記構成に加えて、電波キーを用いる電気錠システムにおいて、扉枠に固定された前記制御盤に、施解錠の信号を受信するアンテナが内蔵されていることを特徴とする電気錠システムにおける通電金具の接続構造である。
【０００８】
【発明の実施の形態】
以下、本発明の電気錠システムにおける通電金具の接続構造について、実施例に基づき更に詳細に説明する。
【０００９】
図１は、本実施例の電気錠システムにおける通電金具の接続構造が適用された扉を示す図であり、室内側から見た状態を示している。本実施例の電気錠システムにおける通電金具の接続構造は、各種の扉に適用可能であるが、特にマンション等の集合住宅や一戸建て住宅などの玄関に設けられる扉に好適に適用される。
【００１０】
扉は、開き戸形式の扉であり、壁を構成するコンクリート製の躯体に、略ロ形の扉枠２が固定され、この扉枠２の一側端部に丁番（図示せず）を介して略矩形板状の扉１が回動自在に保持されてなる。
【００１１】
本実施例における電気錠システムは、戸先側で扉１を施解錠する面付式の電気錠１０と、この電気錠１０と電気的に接続され、扉１の吊元側の室内側面に面付固定された通電金具１１と、この通電金具１１に隣接した扉枠２に固定された制御盤１２と、通電金具１１と制御盤１２とを電気的に接続するたるみをもたせた接続コード１３とを備えている。本実施例では、これら各部材は、扉１又は扉枠２や壁の室内側の表面に設置されている。
【００１２】
面付式の電気錠１０は、扉１の戸先側端部の表面に設けられる。本実施例では、図１に示すように、扉１の室内側の表面に固定され、既設錠４の上部に設置される。一方、扉枠２の戸先側縦枠には、電気錠１０に対応した位置に、錠ウケ１４が設置されている。
電気錠１０は、そこに設けられたツマミの回転、又は制御盤１２からの電気信号に応じて、錠ウケ１４に対してデッドボルト１０ａを錠ケースの戸先側から突出又は錠ケース内に引き込み、扉１の施解錠を行う。つまり、デッドボルト１０ａが戸先側に突出した際には、デッドボルト１０ａの先端部が錠ウケ１４に突入されることで扉が施錠される。
【００１３】
通電金具１１は、扉１の吊元側の室内側面に面付固定される。好ましくは、通電金具１１は、扉１の上部に配置され、この通電金具１１には、扉表面に固定される面付型通電金具とされる。
【００１４】
電気錠１０と通電金具１１とを接続するコード１５は、モール配線若しくは露出配線とされる。このモール配線は、コードを隠しつつ扉を装飾する役目も担うモールを扉表面に貼り付け、そのモール内にコードを通してコードをカバーしつつ行う配線である。
【００１５】
一端を電気錠１０に接続されたコード１５は、扉１の室内側面に上方に向けてはわされて、扉１上端部で屈曲されて左右方向にはわされている。そして、吊元付近まで延出されたコード１５は、扉１の吊元側の室内側面に面付固定された通電金具１１に接続される。なお、コード１５の中途には、扉１の開閉を検知するドアスイッチ５が接続されており、そのドアスイッチ５は、扉１の戸先側上端部に固定される。
【００１６】
図２は、通電金具１１と制御盤１２との接続構造を示す図である。
扉枠２の吊元側縦枠やそれに隣接する壁面には、通電金具１１と同等の高さの位置に制御盤１２が固定される。つまり、図３で示す、従来第２通電金具２４が設置されていた位置に制御盤１２が固定される。このように、本実施例において、通電金具１１（従来の第１通電金具２３）と制御盤１２とは、直接的に接続コード１３により接続されている。また、接続コード１３には、扉１の開閉をスムーズに行うために、たるみが持たされている。
【００１７】
接続コード１３としては、扉１の開閉による折れ曲がりや損傷を防ぐ為に、カールコード、コイルバネの内部に通されたコード、スパイラルチューブの内部に通されたコード等が使用される。そして、制御盤１２には、電源コード１６の一端が接続されており、電源コード１６の他端の電源プラグ１７は、コンセント１８に差込まれて、電気を制御盤１２や電気錠１０に供給している。
【００１８】
制御盤１２は、リモコンキー３、又は制御盤１２自体若しくはこれに接続された操作器（図示しない）の操作に対応して電気錠１０に施解錠を指示する。
また、制御盤１２には、リモコンキー（電波キー）３からの電波を受信するためのアンテナが内蔵されている。これにより、リモコンキー３を使用して電気錠１０の施解錠を行う場合、制御盤１２は、そのリモコンキー３からの電波をアンテナにより受信後、正規の施錠信号（又は解錠信号）か否かを認証（そのリモコンキー３がその電気錠に対応しているかどうかの認証と、施錠又は解錠の区別）をして、正しければ扉１の施錠（又は解錠）を行う。
【００１９】
上記の通り、本実施例の電気錠システムにおける通電金具の接続構造によれば、図３に示す扉枠等に固定された第２通電金具２４が不要となる。これにより、部品点数が減ると共に、電気錠を設置する際の施工工程が減り、施工時間が短縮される。
【００２０】
また、扉に近接した位置に制御盤が取り付けられるので、制御盤内にアンテナを内蔵することが可能となる。従来、制御盤は、リビングや下駄箱内に設置されていたので、玄関前（室外）からリモコンキーにより電気錠の施解錠を行う場合、電波をよく受信するために制御盤からできるだけ扉の近くにまでアンテナを延出して設置する必要があった。このためアンテナは、制御盤ケースの外側に設けられていた。
【００２１】
しかし、本実施例の電気錠システムにおける通電金具の接続構造によれば、扉の近くに制御盤が設置される。これにより、玄関前（室外）と制御盤との距離が短くなるので、制御盤にアンテナを内蔵することが可能となった。さらに、扉に近接した位置に、受信アンテナが設けられるので、玄関前から扉を開けるためにリモコンキー（電波キー）から電波を発信した場合の感度がよく、微弱電波によって扉の施解錠が可能となる。
【００２２】
また、従来は、制御盤を設置する場所をリビングや下駄箱等に用意する必要があったが、本実施例によれば、従来第２通電金具があった場所に、制御盤を設置することとなるので、従来のように制御盤を置く場所を確保する必要がない。
【００２３】
なお、本発明の電気錠システムにおける通電金具の接続構造は、上記実施例の構成に限らず、適宜変更可能である。例えば、リモコンキーではなく、カードキーなどでも施解錠可能にしてもよい。
【００２４】
【発明の効果】
以上詳述したように、本発明の電気錠システムにおける通電金具の接続構造によれば、部品点数が少なく施工工数も少なくなって施工時間が短くなり安価に提供することを可能とする。しかも、電波キーを用いる場合に、制御盤内にアンテナが内蔵されるので場所をとらず、しかも感度がよくなって確実な作動を可能とする。
【図面の簡単な説明】
【図１】本発明の電気錠システムにおける通電金具の接続構造が適用された扉を示す図であり、室内側から見た状態を示している。
【図２】図１の通電金具と制御盤との接続構造を示す図である。
【図３】従来の電気錠システムの設置状態を示す室内側から見た概略図である。
【符号の説明】
１　扉
２　扉枠
３　リモコンキー
１０　電気錠
１１　通電金具
１２　制御盤
１３　接続コード
１４　錠ウケ
１５　コード
１６　電源コード
１７　電源プラグ
１８　コンセント
２０　扉
２１　電気錠
２２　コード
２３　第１通電金具
２４　第２通電金具
２５　扉枠
２６　接続コード
２７　コード
２８　制御盤
２９　リモコンキー
３０　アンテナ
３１　操作器
【図１】
2004131954.tif 000003
【図２】
2004131954.tif 000004
【図３】
2004131954.tif 000005